【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
駆動パルスに基づきレーザパワーを変化させてレーザ光を照射することで、記録情報の記録を制御するためのプリ情報が予め記録された情報記録媒体に前記記録情報を記録する記録手段と、
前記駆動パルスを少なくともトップパルスとミドルパルスとに変化させる第１制御手段と、
少なくとも前記トップパルスと前記ミドルパルスとのパルス比と、前記プリ情報の再生品質である第１再生品質との相関関係を示す第１相関情報に基づいて、前記第１再生品質が所定の第１基準を満たすパルス比である最適比を検出する最適比検出手段と、
前記駆動パルスを前記最適比に応じたパルス比に変化させる第２制御手段と  を備えることを特徴とする情報記録装置。
【請求項２】
前記レーザパワーを変化させながら前記情報記録媒体に試し記録用の第１試し情報を書き込む第１書込手段と、
前記第１試し情報を再生することで、前記第１試し情報の再生品質である第２再生品質が所定の第２基準を満たす前記レーザパワーを最適パワーとして検出する最適パワー検出手段と、
前記最適パワーに対応する前記駆動パルスの前記パルス比を変化させながら、前記情報記録媒体に試し記録用の第２試し情報を書き込む第２書込手段と、
前記第２試し情報が書き込まれた記録領域に予め記録されている前記プリ情報の前記第１再生品質を測定し、且つ該測定された第１再生品質及び当該第１試し情報を記録した際の前記パルス比に基づいて前記第１相関情報を作成する作成手段と  を更に備えることを特徴とする請求項１に記載の情報記録装置。
【請求項３】
前記最適パワー検出手段は、前記第２再生品質としてのアシンメトリ及びジッタ値の少なくとも一方が前記第２基準を満たす前記レーザパワーを前記最適パワーとして検出することを特徴とする請求項２に記載の情報記録装置。
【請求項４】
前記レーザパワーを変化させると共に該レーザパワーに対応する前記駆動パルスの前記パルス比を変化させながら前記情報記録媒体に試し記録用の第３試し情報を書き込む第３書込手段と、
前記第３試し情報が書き込まれた記録領域に予め記録されている前記プリ情報の前記第１再生品質を測定し、且つ該測定された第１再生品質及び前記パルス比に基づき前記第１相関情報を作成する作成手段と  を備えることを特徴とする請求項１に記載の情報記録装置。
【請求項５】
前記最適比検出手段は、前記第３試し情報が書き込まれた記録領域に予め記録されている前記プリ情報の前記第１再生品質が前記第１基準を満たすか否かを判定する判定手段を更に備え、
前記第３書込手段は、前記判定手段により前記第１基準を満たさないと判定された場合に、前記パルス比を変化させて前記第３試し情報を書き込むことを特徴とする請求項４に記載の情報記録装置。
【請求項６】
前記記録手段は、前記作成された第１相関情報を前記情報記録媒体に記録することを特徴とする請求項２から５のいずれか一項に記載の情報記録装置。
【請求項７】
前記作成された第１相関情報を格納するための格納手段を更に備えることを特徴とする請求項２から６のいずれか一項に記載の情報記録装置。
【請求項８】
前記最適比検出手段は、前記プリ情報が予め記録されている記録領域に記録される記録情報の再生品質である第２再生品質が所定の第２基準を満たす場合に、前記第１再生品質が前記第１基準を満たす前記パルス比を前記最適比として検出することを特徴とする請求項１から７のいずれか一項に記載の情報記録装置。
【請求項９】
前記情報記録媒体は、前記記録情報を記録する際の基準記録速度と比較して４倍速以上の記録速度で前記記録情報を記録可能であることを特徴とする請求項１から８のいずれか一項に記載の情報記録装置。
【請求項１０】
前記４倍速以上の記録速度で前記記録情報を記録する場合には、前記最適比検出手段は、前記第１再生品質が前記第１基準を満たす前記パルス比を前記最適比として検出し、
前記基準記録速度と比較して４倍速未満の記録速度で前記記録情報を記録する場合には、前記最適比検出手段は、前記記録情報の再生品質である第２再生品質としてのジッタ値及びアシンメトリ値の少なくとも一方が所定の第２基準を満たす前記パルス比を前記最適比として検出することを特徴とする請求項９に記載の情報記録装置。
【請求項１１】
前記プリ情報は、前記情報記録媒体の記録トラック上に形成されているプリピットにより前記情報記録媒体に予め記録されていることを特徴とする請求項１から１０のいずれか一項に記載の情報記録装置。
【請求項１２】
前記プリピットを再生することで生成されるプッシュプル信号の最大振幅と最小振幅とに基づいて、前記第１再生品質を測定する測定手段を更に備えることを特徴とする請求項１１に記載の情報記録装置。
【請求項１３】
前記プリピットを再生することで取得される前記プリ情報の再生エラーレートに基づいて、前記第１再生品質を測定する測定手段を更に備えることを特徴とする請求項１１に記載の情報記録装置。
【請求項１４】
前記プリ情報は、所定周期で揺動する前記情報記録媒体の記録トラックに加えられる変調信号により前記情報記録媒体に予め記録されていることを特徴とする請求項１から１０のいずれか一項に記載の情報記録装置。
【請求項１５】
駆動パルスに基づきレーザパワーを変化させてレーザ光を照射することで、記録情報の記録を制御するためのプリ情報が予め記録された情報記録媒体に前記記録情報を記録する情報記録装置における情報記録方法であって、
前記駆動パルスを少なくともトップパルスとミドルパルスとに変化させる第１制御工程と、
少なくとも前記トップパルスと前記ミドルパルスとの比であるパルス比と、前記プリ情報の再生品質である第１再生品質との相関関係を示す第１相関情報に基づいて、前記第１再生品質が所定の第１基準を満たすパルス比である最適比を検出する最適比検出工程と、
前記駆動パルスを前記最適比に応じたパルス比に変化させる第２制御工程と  を備えることを特徴とする情報記録方法。
【請求項１６】
請求項１から１４のうちいずれか一項に記載の情報記録装置に備えられたコンピュータを制御する記録制御用のコンピュータプログラムであって、該コンピュータを、前記記録手段、前記第１制御手段、前記最適比検出手段及び前記第２制御手段のうち少なくとも一部として機能させることを特徴とするコンピュータプログラム。
【手続補正２】
【補正対象書類名】明細書
【補正対象項目名】０００７
【補正方法】変更
【補正の内容】
【０００７】
上記課題を解決するために、請求項１に記載の情報記録装置は、駆動パルスに基づきレーザパワーを変化させてレーザ光を照射することで、記録情報の記録を制御するためのプリ情報が予め記録された情報記録媒体に前記記録情報を記録する記録手段と、前記駆動パルスを少なくともトップパルスとミドルパルスとに変化させる第１制御手段と、少なくとも前記トップパルスと前記ミドルパルスとのパルス比と、前記プリ情報の再生品質である第１再生品質との相関関係を示す第１相関情報に基づいて、前記第１再生品質が所定の第１基準を満たすパルス比である最適比を検出する最適比検出手段と、前記駆動パルスを前記最適比に応じたパルス比に変化させる第２制御手段とを備える。
【手続補正３】
【補正対象書類名】明細書
【補正対象項目名】０００８
【補正方法】変更
【補正の内容】
【０００８】
上記課題を解決するために、請求項１５に記載の情報記録方法は、駆動パルスに基づきレーザパワーを変化させてレーザ光を照射することで、記録情報の記録を制御するためのプリ情報が予め記録された情報記録媒体に前記記録情報を記録する情報記録装置における情報記録方法であって、前記駆動パルスを少なくともトップパルスとミドルパルスとに変化させる第１制御工程と、少なくとも前記トップパルスと前記ミドルパルスとの比であるパルス比と、前記プリ情報の再生品質である第１再生品質との相関関係を示す第１相関情報に基づいて、前記第１再生品質が所定の第１基準を満たすパルス比である最適比を検出する最適比検出工程と、前記駆動パルスを前記最適比に応じたパルス比に変化させる第２制御工程とを備える。